(57)【特許請求の範囲】
【請求項１】
１枚の用紙上に複数の原稿ページを配置するレイアウトの設定を受け付ける設定手段と、
文書データのプレビューを表示する場合に、原稿ページを表示する原稿表示機能と、印刷の際の原稿ページのレイアウトを表示する印刷表示機能と、原稿ページの内容を反映せずに前記設定手段が受け付けたレイアウトを反映して表示する簡易表示機能と、を含む選択肢群の中から１つの選択肢の選択を受け付ける選択手段と、
前記選択手段により前記原稿表示機能の選択が受け付けられた場合、前記設定手段で受け付けた１枚の用紙上に複数の原稿ページを配置するレイアウトの設定を反映せずに前記文書データのプレビューを表示し、前記選択手段により前記印刷表示機能の選択が受け付けられた場合、前記設定手段で受け付けたレイアウトの設定に基づいて１枚の用紙上に複数の原稿ページを配置して前記文書データのプレビューを表示し、前記選択手段により前記簡易表示機能の選択が受け付けられた場合、原稿ページの内容を反映せずに前記設定手段で受け付けたレイアウトの設定に基づいて１枚の用紙上に複数の原稿ページを配置して前記文書データのプレビューを表示する表示手段と、を有し、
前記表示手段は、前記設定手段で受け付けた１つのレイアウトの設定に対して、３通りの文書データのプレビューを表示可能であることを特徴とする文書処理装置。
【請求項２】
前記文書データは、アプリケーションにより生成されることを特徴とする請求項１に記載の文書処理装置。
【請求項３】
前記選択手段による選択の受け付けと、前記設定手段による設定の受け付けと、前記表示手段による表示とは、印刷設定情報を受け付けるアプリケーションプログラムにより実現されることを特徴とする請求項１又は２に記載の文書処理装置。
【請求項４】
前記表示手段は、前記文書データのプレビューと共に、前記文書データの構造を示すビューを表示することを特徴とする請求項１乃至３のいずれか１項に記載の文書処理装置。
【請求項５】
第１の原稿ページを含む第１の章と第２の原稿ページを含む第２の章とを含む文書データについて、前記設定手段が、前記第１の章に対して章印刷設定情報を設定し、前記第２の章に対して当該章印刷設定情報を設定しない場合、前記表示手段は、該文書データの構造として前記第１の章と前記第２の章とを識別可能に表示することを特徴とする請求項４に記載の文書処理装置。
【請求項６】
文書処理装置において実行される文書処理方法であって、
前記文書処理装置の設定手段が、１枚の用紙上に複数の原稿ページを配置するレイアウトの設定を受け付ける設定工程と、
前記文書処理装置の選択手段が、文書データのプレビューを表示する場合に、原稿ページを表示する原稿表示機能と、印刷の際の原稿ページのレイアウトを表示する印刷表示機能と、原稿ページの内容を反映せずに前記設定工程で受け付けたレイアウトを反映して表示する簡易表示機能と、を含む選択肢群の中から１つの選択肢の選択を受け付ける選択工程と、
前記文書処理装置の表示手段が、前記選択工程において前記原稿表示機能の選択が受け付けられた場合、前記設定工程で受け付けた１枚の用紙上に複数の原稿ページを配置するレイアウトの設定を反映せずに前記文書データのプレビューを表示し、前記選択工程において前記印刷表示機能の選択が受け付けられた場合、前記設定工程で受け付けたレイアウトの設定に基づいて１枚の用紙上に複数の原稿ページを配置して前記文書データのプレビューを表示し、前記選択工程において前記簡易表示機能の選択が受け付けられた場合、原稿ページの内容を反映せずに前記設定工程で受け付けたレイアウトの設定に基づいて１枚の用紙上に複数の原稿ページを配置して前記文書データのプレビューを表示する表示工程と、を有し、
前記表示工程は、前記設定工程で受け付けた１つのレイアウトの設定に対して、３通りの文書データのプレビューを表示可能であることを特徴とする文書処理方法。
【請求項７】
前記文書データは、アプリケーションにより生成されることを特徴とする請求項６に記載の文書処理方法。
【請求項８】
前記選択工程における選択の受け付けと、前記設定工程における設定の受け付けと、前記表示工程における表示とは、印刷設定情報を受け付けるアプリケーションプログラムにより実現されることを特徴とする請求項６又は７に記載の文書処理方法。
【請求項９】
前記表示工程は、前記文書データのプレビューと共に、前記文書データの構造を示すビューを表示することを特徴とする請求項６乃至８のいずれか１項に記載の文書処理方法。
【請求項１０】
第１の原稿ページを含む第１の章と第２の原稿ページを含む第２の章とを含む文書データについて、前記設定工程において、前記第１の章に対して章印刷設定情報が設定され、前記第２の章に対して当該章印刷設定情報が設定されない場合、前記表示工程においては、該文書データの構造として前記第１の章と前記第２の章とが識別可能に表示されることを特徴とする請求項９に記載の文書処理方法。
【請求項１１】
１枚の用紙上に複数の原稿ページを配置するレイアウトの設定を受け付ける設定手段と、
文書データのプレビューを表示する場合に、原稿ページを表示する原稿表示機能と、印刷の際の原稿ページのレイアウトを表示する印刷表示機能と、原稿ページの内容を反映せずに前記設定手段が受け付けたレイアウトを反映して表示する簡易表示機能と、を含む選択肢群の中から１つの選択肢の選択を受け付ける選択手段と、
前記選択手段により前記原稿表示機能の選択が受け付けられた場合、前記設定手段で受け付けた１枚の用紙上に複数の原稿ページを配置するレイアウトの設定を反映せずに前記文書データのプレビューを表示し、前記選択手段により前記印刷表示機能の選択が受け付けられた場合、前記設定手段で受け付けたレイアウトの設定に基づいて１枚の用紙上に複数の原稿ページを配置して前記文書データのプレビューを表示し、前記選択手段により前記簡易表示機能の選択が受け付けられた場合、原稿ページの内容を反映せずに前記設定手段で受け付けたレイアウトの設定に基づいて１枚の用紙上に複数の原稿ページを配置して前記文書データのプレビューを表示する表示手段と、してコンピュータを機能させるプログラムであり、
前記表示手段は、前記設定手段で受け付けた１つのレイアウトの設定に対して、３通りの文書データのプレビューを表示可能であることを特徴とするプログラム。
【請求項１２】
前記文書データは、アプリケーションにより生成されることを特徴とする請求項１１に記載のプログラム。
【請求項１３】
前記選択手段による選択の受け付けと、前記設定手段による設定の受け付けと、前記表示手段による表示とは、印刷設定情報を受け付けるアプリケーションプログラムにより実現されることを特徴とする請求項１１又は１２に記載のプログラム。
【請求項１４】
前記表示手段は、前記文書データのプレビューと共に、前記文書データの構造を示すビューを表示することを特徴とする請求項１１乃至１３のいずれか１項に記載のプログラム。
【請求項１５】
第１の原稿ページを含む第１の章と第２の原稿ページを含む第２の章とを含む文書データについて、前記設定手段が、前記第１の章に対して章印刷設定情報を設定し、前記第２の章に対して当該章印刷設定情報を設定しない場合、前記表示手段は、該文書データの構造として前記第１の章と前記第２の章とを識別可能に表示することを特徴とする請求項１１に記載のプログラム。
【発明の詳細な説明】
【技術分野】
【０００１】
本発明は、文書処理方法及びそのシステム、例えば文書処理プログラムや画像編集プログラム等、様々なプログラムによって生成される出力データをひとつの文書としてまとめ、その文書に対する編集機能を提供する文書処理装置、文書処理方法及びプログラムに関し、特にパーソナルコンピュータ等の情報処理とプリンタから成るシステムにおける文書処理装置、文書処理方法及びプログラムに関するものである。
【背景技術】
【０００２】
文字や表、画像など、データの種類が異なると、データを定義する構造やそれらデータに対する編集操作が異なるために、データの種類に応じた様々なアプリケーションプログラムが提供されている。利用者は、文字を編集するためには文字処理プログラム、表を編集するためには表計算プログラム、画像を編集するためには画像編集プログラムといった具合に、データの種類別にアプリケーションを使い分けている。
【０００３】
このように、利用者はデータの種類ごとにアプリケーションプログラムを使い分けるのが一般的である。しかし、利用者が作成しようとする文書としては、例えば文字のみや、表のみ、画像のみといった１種類のデータのみから構成される文書よりも、文字と表、文字と画像など、複数種類のデータから構成される文書の方が一般的である。そこで複数種類のデータを含む目的文書を作成するために、利用者は各種アプリケーションが備えている印刷機能を利用してアプリケーションごとにデータを印刷させ、印刷物を所望の順序に組み合わせる必要があった。
【０００４】
あるいは、いわゆるオフィススイートと呼ばれる、各種アプリケーションによってひとつの統合アプリケーションを形成するプログラムには、各アプリケーションで生成されたデータを組み合わせ、ひとつの文書を構成する機能を提供するものもある。この統合アプリケーションを使用する場合には、利用者は、各アプリケーションで作成したデータを、統合アプリケーションに含まれる特定のアプリケーションによってひとつの目的文書にまとめることができる。
【０００５】
しかしながら、利用者が各種アプリケーションによる印刷物を組み合わせてひとつの目的文書を作成する場合、例えばページ番号を各ページに振るためには、いったん必要なデータをすべて印刷出力し、文書としてまとめてから付すべきページ番号を決定する必要がある。そして、各アプリケーションによって、そのアプリケーションで作成された原稿の各ページ（これを論理ページあるいは原稿ページと呼ぶ）ごとに、決定されたページ番号を書き込んでいく。アプリケーションプログラムがページ番号を振る機能を有している場合であっても、不連続部分があればその部分についてはやはり利用者がページ番号を指定しなければならない。また、目的文書のページを再配置した場合には、ページ番号もそれに合わせて振り直さなければならない。あるいは、複数の原稿ページを、印刷物としての１ページ（これを物理ページあるいは印刷ページと呼ぶ）にまとめたり、片面印刷から両面印刷に変更するなど、データの内容にかかる変更ではなく、単に書式を変更する場合であっても、アプリケーションによって編集及び印刷のし直しが必要となる。
【０００６】
このように、データの種類ごとにそれを管理できるアプリケーションが異なることから、アプリケーション間のインタフェースを利用者自身が人手によって提供しなければならない。このことは、利用者に多大な労力が要求されるということであり、生産性の低下をもたらす。さらに、多くの人手を介することからエラーの発生も生じやすかった。
【０００７】
一方、統合アプリケーションを利用して目的文書を作成する場合、印刷出力せずに、データの状態で各種データを配置することができる。このため、印刷物を組み合わせて目的文書を作成する場合ほどには労力は必要とされることはない。しかしながら、各種データを編集・作成するためのアプリケーションは、統合アプリケーションに含まれるものに限られてしまい、利用者が望むアプリケーションが使用できるとは限らない。また、統合アプリケーションによって作成された目的文書はひとつの文書ファイルであり、ファイル単位で編集・出力等の管理が行われる。そのために、文書ファイルの一部について書式を設定しようとしてもアプリケーションの機能による制約が多く、例えば書式が変わる部分ごとに書式設定を変更しては印刷し直すといった作業が必要とされる。このため、多くの労力が必要とされて生産性が低い点においては、前述した方法と変わりはなかった。
【発明の概要】
【発明が解決しようとする課題】
【０００８】
１枚の用紙上に複数の原稿ページを配置するレイアウトの設定を受け付ける設定手段と、文書データのプレビューを表示する場合に、原稿ページを表示する原稿表示機能と、印刷の際の原稿ページのレイアウトを表示する印刷表示機能と、原稿ページの内容を反映せずに前記設定手段が受け付けたレイアウトを反映して表示する簡易表示機能と、を含む選択肢群の中から１つの選択肢の選択を受け付ける選択手段と、前記選択手段により前記原稿表示機能の選択が受け付けられた場合、前記レイアウトの設定を反映せずに前記文書データのプレビューを表示し、前記選択手段により前記印刷表示機能の選択が受け付けられた場合、前記レイアウトの設定を反映して前記文書データのプレビューを表示し、前記選択手段により前記簡易表示機能の選択が受け付けられた場合、原稿ページの内容を反映せずに前記レイアウトを反映して表示する表示手段を有する文書処理装置がなかった。
【課題を解決するための手段】
【００１１】
この課題を解決するために、本発明の文書処理装置は、１枚の用紙上に複数の原稿ページを配置するレイアウトの設定を受け付ける設定手段と、文書データのプレビューを表示する場合に、原稿ページを表示する原稿表示機能と、印刷の際の原稿ページのレイアウトを表示する印刷表示機能と、原稿ページの内容を反映せずに前記設定手段が受け付けたレイアウトを反映して表示する簡易表示機能と、を含む選択肢群の中から１つの選択肢の選択を受け付ける選択手段と、前記選択手段により前記原稿表示機能の選択が受け付けられた場合、前記設定手段で受け付けた１枚の用紙上に複数の原稿ページを配置するレイアウトの設定を反映せずに前記文書データのプレビューを表示し、前記選択手段により前記印刷表示機能の選択が受け付けられた場合、前記設定手段で受け付けたレイアウトの設定に基づいて１枚の用紙上に複数の原稿ページを配置して前記文書データのプレビューを表示し、前記選択手段により前記簡易表示機能の選択が受け付けられた場合、原稿ページの内容を反映せずに前記設定手段で受け付けたレイアウトの設定に基づいて１枚の用紙上に複数の原稿ページを配置して前記文書データのプレビューを表示する表示手段と、を有し、前記表示手段は、前記設定手段で受け付けた１つのレイアウトの設定に対して、３通りの文書データのプレビューを表示可能であることを特徴とする。
【発明の効果】
【００１２】
本発明によれば、ユーザの所望に応じて、文書データのプレビュー表示を適切に行うことができる。
【図面の簡単な説明】
【００１３】
【図１】本実施形態のスタンドアロン型の文書処理システムのソフトウェア構成例を示すブロック図である。
【図２】本実施形態の文書処理システムを実現するハードウェア構成例を示すブロック図である。
【図３】ブックファイルの構造の一例を示す図である。
【図４】ブック属性の一覧を示す図である。
【図５】章属性の一覧を示す図である。
【図６】ページ属性の一覧を示す図である。
【図７】ブックファイルを開く手順例を示すフローチャートである。
【図８】新規のブックファイルを開いた際のユーザインタフェース画面の一例を示す図である。
【図９】既存のブックファイルを開いた際のユーザインタフェース画面の一例を示す図である。
【図１０】電子原稿ファイルをブックファイルにインポートする手順例を示すフローチャートである。
【図１１】図１０のステップ８０１に示すアプリケーションデータを電子原稿ファイルに変換する手順例を示すフローチャートである。
【図１２】印刷や表示を行う際に使用するデータ構造の例を示す図である。
【図１３】クライアントサーバ型の文書処理システムのソフトウェア構成例を示すブロック図である。
【図１４】データ構成の最上位階層である文書全体の設定を行うダイアログウィンドウの例を示す図である。
【図１５】データ構成の中間階層である章の設定を行うダイアログウィンドウの例を示す図である。
【図１６】図１５のダイアログウィンドウで固有属性の設定を行った例を示す図である。
【図１７】データ構成の最下位階層であるページの設定を行うダイアログウィンドウの例を示す図である。
【図１８】図１７のダイアログウィンドウでの設定値の変更例を示す図である。
【図１９】章やページに固有の設定を行った場合の表示例を示す図である。
【図２０Ａ】コピーペーストをされる文書の例を示す図である。
【図２０Ｂ】固有の設定がないコピーペーストをする文書の例を示す図である。
【図２０Ｃ】固有の設定がない場合にコピーペーストを行った場合の実行結果の例を示す図である。
【図２０Ｄ】固有の設定がない場合にコピーペーストを行った場合の実行結果の例を示す図である。
【図２１Ａ】コピーペーストをされる文書の例を示す図である。
【図２１Ｂ】固有の設定があるコピーペーストをする文書の例を示す図である。
【図２１Ｃ】固有の設定がある場合にコピーペーストを行った場合の実行結果の例を示す図である。
【図２１Ｄ】固有の設定がある場合にコピーペーストを行った場合の実行結果の例を示す図である。
【図２１Ｅ】固有の設定がある場合にコピーペーストを行った場合の実行結果の例を示す図である。
【図２２】データの挿入処理の例を示すフローチャートである。
【図２３】文書全体をペーストする際の処理の例を示すフローチャートである。
【図２４】章をペーストする際の処理の例を示すフローチャートである。
【図２５】ページをペーストする際の処理の例を示すフローチャートである。
【図２６】編集処理における表示方式の例を示す図である。
【図２７】編集処理における表示方式の例を示す図である。
【図２８】編集処理における表示方式の例を示す図である。
【図２９】編集処理における表示方式の例を示す図である。
【図３０】編集処理における表示方式の例を示す図である。
【図３１】編集処理における表示方式の例を示す図である。
【図３２】編集処理における表示方式の例を示す図である。
【図３３】編集処理における表示方式の例を示す図である。
【図３４】編集処理における表示方式の手順例を示すフローチャートである。
【発明を実施するための形態】
【００１４】
以下、添付図面に従って、本発明の実施形態を詳細に説明する。
【００１５】
［本実施形態の文書処理システムの概要］
本発明の第１の実施形態である文書処理システムの概要を、図１〜図１３を参照して説明する。この文書処理システムでは、一般アプリケーションにより作成されたデータファイルが、電子原稿ライタによって電子原稿ファイルに変換される。製本アプリケーションはその電子原稿ファイルを編集する機能を提供している。尚、本例では、それぞれの機能が明瞭になるように、一般アプリケーション、電子原稿ライタ、製本アプリケーション、電子原稿デスプーラと分離して示しているが、ユーザに提供されるパッケージはこれらに限定されず、これらを組合わせたアプリケーションやグラフィックエンジンとして提供されてもよい。以下、その詳細は説明する。
【００１６】
＜本実施形態の文書処理システムのソフトウェア構成例＞
図１は、本実施形態の文書処理システムのソフトウェア構成を示す図である。文書処理システムは、本発明の文書処理装置の好適な実施形態であるデジタルコンピュータ１００（以下、ホストコンピュータとも呼ばれる）によって実現されている。  一般アプリケーション１０１は、ワードプロセシングやスプレッドシート、フォトレタッチ、ドローあるいはペイント、プレゼンテーション、テキスト編集などの機能を提供するアプリケーションプログラムであり、ＯＳに対する印刷機能を有している。これらアプリケーションは、作成された文書データや画像データなどのアプリケーションデータを印刷するにあたって、オペレーティングシステム（ＯＳ）により提供される所定のインタフェース（一般に、ＧＤＩと呼ばれる）を利用する。すなわち、アプリケーション１０１は、作成したデータを印刷するために、前記インタフェースを提供するＯＳの出力モジュールに対して、あらかじめ定められる、ＯＳに依存する形式の出力コマンド（ＧＤＩ関数と呼ばれる）を送信する。出力コマンドを受けた出力モジュールは、プリンタ等の出力デバイスが処理可能な形式にそのコマンドを変換し、変換されたコマンド（ＤＤＩ関数と呼ばれる）を出力する。出力デバイスが処理可能な形式はデバイスの種類やメーカ、機種などによって異なるために、デバイスごとにデバイスドライバが提供されており、ＯＳではそのデバイスドライバを利用してコマンドの変換を行い、印刷データを生成し、ＪＬ（Job Language）でくくることにより印刷ジョブが生成される。ＯＳとしてマイクロソフト社のウインドウズを利用する場合には、前述した出力モジュールとしてはＧＤＩ（Graphic Device Interface）と呼ばれるモジュールが相当する。
【００１７】
電子原稿ライタ１０２は、前述のデバイスドライバを改良したものであり、本文書処理システム実現のために提供されるソフトウェアモジュールである。ただし、電子原稿ライタ１０２は特定の出力デバイスを目的としておらず、後述の製本アプリケーション１０４やプリンタドライバ１０６により処理可能な形式に出力コマンドを変換する。この電子原稿ライタ１０２による変換後の形式（以後、「電子原稿形式」と呼ぶ。）は、ページ単位の原稿を詳細な書式をもって表現可能であれば特に問わない。実質的な標準形式のうちでは、例えばアドビシステムズによるＰＤＦ形式や、ＳＶＧ形式などが電子原稿形式として採用できる。
【００１８】
アプリケーション１０１により電子原稿ライタ１０２を利用させる場合には、出力に使用するデバイスドライバとして電子原稿ライタ１０２を指定してから印刷を実行させる。ただし、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。製本アプリケーション１０４は、電子原稿ライタ１０２が生成した新規の不完全な電子原稿ファイルを後述する形式を備えた電子原稿ファイルとして完成させる。以下では、この点を明瞭に識別する必要がある際には、電子原稿ライタ１０２によって作成されたファイルを電子原稿ファイルと呼び、製本アプリケーションによって構造を与えられた電子原稿ファイルをブックファイルと呼ぶ。また、特に区別する必要がない場合は、アプリケーションにより生成されるドキュメントファイル、電子原稿ファイル、及びブックファイルをいずれも文書ファイル（または文書データ）と呼ぶ。
【００１９】
このようにデバイスドライバとして電子原稿ライタ１０２を指定し、一般アプリケーション１０１によりそのデータを印刷させることで、アプリケーションデータはアプリケーション１０１によって定義されたページ（以後、「論理ページ」あるいは「原稿ページ」と呼ぶ。）を単位とする電子原稿形式に変換され、電子原稿ファイル１０３としてハードディスクなどの記憶媒体に格納される。なお、ハードディスクは、本実施形態の文書処理システムを実現するコンピュータが備えているローカルドライブであってもよいし、ネットワークに接続されている場合にはネットワーク上に提供されるドライブであっても良い。
【００２０】
製本アプリケーション１０４は、電子原稿ファイルあるいはブックファイル１０３を読み込み、それを編集するための機能を利用者に提供する。ただし製本アプリケーション１０４は、各ページの内容を編集する機能は提供しておらず、ページを最小単位として構成される、後述する章やブックの構造を編集するための機能を提供している。
【００２１】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールであり、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７のドライバ１０６がデバイスドライバとして指定される。出力モジュールは、指定されたプリンタ１０７のプリンタドライバ１０６を用いて受信した出力コマンドを、プリンタ１０７で解釈実行可能なデバイスコマンドに変換する。そしてデバイスコマンドはプリンタ１０７に送信され、プリンタ１０７によってコマンドに応じた画像が印刷される。
【００２２】
＜本実施形態の文書処理システムのハードウェア構成例＞
図２は、本実施形態の文書処理システムのハードウェア構成を示す図である。
【００２３】
図２において、ホストコンピュータ１００は、ＲＯＭ２０３内のプログラム用ＲＯＭあるいは外部メモリ２１１に記憶された文書処理プログラム等に基づいて図形、イメージ、文字、表（表計算等を含む）等が混在した文書処理を実行するＣＰＵ２０１を備え、システムバス２０４に接続される各デバイスをＣＰＵ２０１が総括的に制御する。また、このＲＯＭ２０３内のプログラム用ＲＯＭあるいは外部メモリ２１１には、ＣＰＵ２０１の制御プログラムであるオペレーティングシステムプログラム等を記憶し、ＲＯＭ２０３内のフォント用ＲＯＭあるいは外部メモリ２１１には上記文書処理の際に使用するフォントデータ等を記憶し、ＲＯＭ２０３内のデータ用ＲＯＭあるいは外部メモリ２１１には上記文書処理等を行う際に使用する各種データを記憶する。ＲＡＭ２０２は、ＣＰＵ２０１の主メモリ、ワークエリア等として機能する。
【００２４】
キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ（ＣＲＴ）２１０の表示を制御する。２０７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フロッピー（登録商標）ディスク（ＦＤ）等の外部メモリ２１１とのアクセスを制御する。プリンタコントローラ（ＰＲＴＣ）２０８は、双方向性インタフェース（インタフェース）２１を介してプリンタ１０７に接続されて、プリンタ１０７との通信制御処理を実行する。ＮＣ２１２はネットワークに接続されて、ネットワークに接続された他の機器との通信制御処理を実行する。
【００２５】
なお、ＣＰＵ２０１は、例えばＲＡＭ２０２上に設定された表示情報ＲＡＭへのアウトラインフォントの展開（ラスタライズ）処理を実行し、ＣＲＴ２１０上でのＷＹＳＩＷＹＧを可能としている。また、ＣＰＵ２０１は、ＣＲＴ２１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える．
プリンタ１０７は、ＣＰＵ３１２により制御される．プリンタのＣＰＵ３１２は、ＲＯＭ３１３内のプログラム用ＲＯＭに記憶された制御プログラム等あるいは外部メモリ３１４に記憶された制御プログラム等に基づいてシステムバス３１５に接続される印刷部（プリンタエンジン）３１７に出力情報としての画像信号を出力する．また、このＲＯＭ３１３内のプログラムＲＯＭには、ＣＰＵ３１２の制御プログラム等を記憶する．ＲＯＭ３１３内のフォント用ＲＯＭには上記出力情報を生成する際に使用するフォントデータ等が記憶され、ＲＯＭ３１３内のデータ用ＲＯＭには、ハードディスク等の外部メモリ３１４がないプリンタの場合には、ホストコンピュータ上で利用される情報等が記憶されている．
ＣＰＵ３１２は入力部３１８を介してホストコンピュータとの通信処理が可能となっており、プリンタ内の情報等をホストコンピュータ１００に通知できる．ＲＡＭ３１９は、ＣＰＵ３１２の主メモリや、ワークエリア等として機能するＲＡＭで、図示しない増設ポートに接続されるオプションＲＡＭによりメモリ容量を拡張することができるように構成されている．なお、ＲＡＭ３１９は、出力情報展開領域、環境データ格納領域、ＮＶＲＡＭ等に用いられる．前述したハードディスク（ＨＤ）、ＩＣカード等の外部メモリ３１４は、メモリコントローラ（ＭＣ）２０によりアクセスを制御される．外部メモリ３１４は、オプションとして接続され、フォントデータ、エミュレーションプログラム、フォームデータ等を記憶する．また、３２１は前述した操作パネルで、操作のためのスイッチ及びＬＥＤ表示器等が配されている．
また、前述した外部メモリ３１４は１個に限らず、複数個備えられ、内蔵フォントに加えてオプションカード、言語系の異なるプリンタ制御言語を解釈するプログラムを格納した外部メモリを複数接続できるように構成されていてもよい．更に、図示しないＮＶＲＡＭを有し、操作パネル３２１からのプリンタモード設定情報を記憶するようにしてもよい．
＜電子原稿データの形式例＞
編集アプリケーション１０４の詳細を言及する前に、ブックファイルのデータ形式を説明する。ブックファイルは紙媒体の書物を模した３層の層構造を有する。上位層は「ブック」と呼ばれ、１冊の本を模しており、その本全般に係る属性が定義されている。その下の中間層は、本でいう章に相当し、やはり「章」と呼ばれる。各章についても、章ごとの属性が定義できる。下位層は「ページ」であり、アプリケーションプログラムで定義された各ページに相当する。各ページついてもページごとの属性が定義できる。ひとつのブックは複数の章を含んでいてよく、また、ひとつの章は複数のページを含むことができる。
【００２６】
図３は、ブックファイルの形式の一例を模式的に示す図である。この例のブックファイルにおける、ブック、章、ページは、それぞれに相当するノードにより示されている。ひとつのブックファイルはひとつのブックを含む。ブック、章は、ブックとしての構造を定義するための概念であるから、定義された属性値と下位層へのリンクとをその実体として含む。ページは、アプリケーションプログラムによって出力されたページごとのデータを実体として有する。そのため、ページは、その属性値のほか、原稿ページの実体（原稿ページデータ）と各原稿ページデータへのリンクを含む。尚、紙媒体等に出力する際の印刷ページは複数の原稿ページを含む場合がある。この構造に関してはリンクによって表示されず、ブック、章、ページ各階層における属性として表示される。
【００２７】
図３では、ブックファイルが１つの完結したブックである必要はないので、「ブック」を「文書」として一般化して記載している。
【００２８】
まず最上位に文書情報４０１を持つ。文書情報４０１は４０２〜４０４の３つのパートに大別できる。文書制御情報４０２は、文書ファイルのファイルシステムにおけるパス名などの情報を保持する。文書設定情報４０３は、ページレイアウトなどのレイアウト情報とステイプルなど印刷装置の機能設定情報を保持し、ブックの属性に相当する。章情報リスト４０４は、文書を構成している章の集合をリスト形式で保持する。リストが保持するのは章情報４０５である。
【００２９】
章情報４０５も４０６〜４０８の３つのパートに大別できる。章制御情報４０６は、章の名称などの情報を保持する。章設定情報４０７は、その章特有のページレイアウトやステイプルの情報を保持し、章の属性に相当する。章ごとに設定情報をもつことで最初の章は２UPのレイアウトその他の章は４UPのレイアウトのように複雑なレイアウトを持った文書を作成することが可能である。ページ情報リスト４０８は各章を構成する原稿ページの集合リスト形式で保持している。ページ情報リスト４０８が指示するのは、ページ情報データ４０９である。
【００３０】
ページ情報データ４０９も４１０〜４１２の３つのパートに大別される。ページ制御情報４１０は、ツリー上に表示するページ番号などの情報を保持する。ページ設定情報４１１は、ページ回転角やページの配置位置情報などの情報を保持し、原稿ページの属性に相当する。ページリンク情報４１２は、ページに対応する原稿データである。この例では、ページ情報４０９が直接原稿データを持つのではなく、リンク情報４１２だけをもち、実際の原稿データは、ページデータリスト４１３で保持する構成としている。
【００３１】
図４は、ブック属性（文書設定情報４０３）の例を示すリストである。通常、下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。しかし、本例では、後述するように、下位層の属性値を優先するか否かが選択可能となっている。なお、図示された各項目は具体的に１項目に対応するのではなく、関連する複数の項目を含むものもある。
【００３２】
ブック属性に固有の項目は、印刷方法、製本詳細、表紙／裏表紙、インデックス紙、合紙、章区切りの６項目である。これらは、ブックを通して定義される項目である。印刷方法属性としては、片面印刷、両面印刷、製本印刷の３つの値を指定できる。製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００３３】
表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００３４】
合紙属性は、章の区切りとして、インサータからあるいは給紙カセットから供給される用紙の挿入の指定、及び、合紙を挿入する場合には、給紙元の指定などを含む。
【００３５】
章区切り属性は、章の区切り目において、新たな用紙を使用するか、新たな印刷ページを使用するか、特に何もしないか等の指定を含む。片面印刷時には新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００３６】
図５は、章属性（章設定情報４０７）の、図６はページ属性（ページ設定情報４１１）の例を示すリストである。章属性とページ属性との関係もブック属性と下位層の属性との関係と同様である。
【００３７】
章属性に関しては、章に固有の項目はなく、すべてブック属性と重複する。したがって、通常は、章属性における定義とブック属性における定義とが異なれば、章属性で定義された値が優先する。しかし、本例では、後述するように、下位層の属性値を優先するか否かが選択可能となっている。
【００３８】
ブック属性と章属性とにのみ共通する項目は、用紙サイズ、用紙方向、Ｎ−ｕｐ印刷指定、拡大縮小、排紙方法の５項目である。このうち、Ｎ−ｕｐ印刷指定属性は、１印刷ページに含まれる原稿ページ数を指定するための項目である。指定可能な配置としては、１×１や１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００３９】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎ−ｕｐ等の指定に応じて配置した場合に、１原稿ページが占める領域である。例えば１×１であれば、仮想論理ページ領域は１印刷ページに相当する領域となり、１×２であれば、１印刷ページの各辺を約７０パーセントに縮小した領域となる。
【００４０】
ブック、章、ページについて共通な属性として、ウォーターマーク属性及びヘッダ・フッタ属性がある。ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。ただし、ヘッダ・フッタには、ページ番号や日時など、変数により指定可能な項目が用意されている。なお、ウォーターマーク属性及びヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００４１】
＜本実施形態の文書処理システムの操作手順例＞
（ブックファイルの生成手順例）
ブックファイルは、上述したような構造及び内容を有している。次に、製本アプリケーション１０４及び電子原稿ライタ１０２によってブックファイルを作成する手順を説明する。ブックファイルの作成は、製本アプリケーション１０４によるブックファイルの編集操作の一環として実現される。
【００４２】
図７は、製本アプリケーション１０４によりブックファイルを開く際の手順を示すフローチャートである。
【００４３】
まず、開こうとするブックファイルが、新規作成すべきものであるか、それとも既存のものであるか判定する（ステップＳ７０１）。新規作成の場合には、章を含まないブックファイルを新規に作成する（ステップＳ７０２）。新規に作成されるブックファイルは、図３の例で示せば、ブックノード３０１のみ有し、章のノードに対するリンクが存在しないブックのノードとなる。ブック属性は、新規作成用としてあらかじめ用意された属性のセットが適用される。そして、新規ブックファイルを編集するためのユーザインタフェース（ＵＩ）画面を表示する（ステップＳ７０４）。図８は、新規にブックファイルが作成された際のＵＩ画面の一例である。この場合には、ブックファイルは実質的な内容を持たないために、ＵＩ画面８００には何も表示されない。
【００４４】
一方、既存のブックファイルがあれば、指定されたブックファイルを開き（ステップＳ７０３）、そのブックファイルの構造、属性、内容に従ってユーザインタフェース（ＵＩ）画面を表示する。図９は、このＵＩ画面の一例である。ＵＩ画面９００は、ブックの構造を示すツリー部９０１と、印刷された状態を表示するプレビュー部９０２とを含む。ツリー部９０１には、ブックに含まれる章、各章に含まれるページが、図３のような木構造が分かるように表示される。ツリー部９０１に表示されるページは原稿ページである。プレビュー部９０２には、印刷ページの内容が縮小されて表示される。その表示順序は、ブックの構造を反映したものとなっている。
【００４５】
さて、開かれたブックファイルには、電子原稿ライタ１０２によって電子原稿ファイルに変換されたアプリケーションデータを、新たな章として追加することができる。この機能を電子原稿インポート機能と呼ぶ。図７の手順によって新規に作成されたブックファイルに電子原稿インポートすることで、そのブックファイルには実体が与えられる。この機能は、図８あるいは図９の画面にアプリケーションデータをドラッグアンドドロップ操作することで起動される。
【００４６】
図１０に電子原稿インポートの手順例を示すフローチャートである。
【００４７】
まず、指定されたアプリケーションデータを生成したアプリケーションプログラムを起動し、デバイスドライバとして電子原稿ライタ１０２を指定してアプリケーションデータを印刷出力させることで、電子原稿データに変換する（ステップＳ８０１）。変換を終えたなら、変換されたデータが画像データであるか否かを判定する（ステップＳ８０２）。この判定は、ウインドウズＯＳの下であれば、アプリケーションデータのファイル拡張子に基づいて行うことができる。例えば、拡張子が「ｂｍｐ」であればウインドウズビットマップデータであり、「ｊｐｇ」であればＪＰＥＧ圧縮された画像データ、「ｔｉｆｆ」であればｔｉｆｆ形式の画像データであると判定できる。また、このような画像データの場合はＳ８０１０のようにアプリケーションを起動せずに、画像データから直接電子原稿ファイルを生成することが可能であるため、Ｓ８０１０の処理を省略することも可能である。
【００４８】
画像データでなかった場合には、ステップＳ８０１で生成された電子原稿ファイルを、現在開かれているブックファイルのブックに、新たな章として追加する（ステップＳ８０３）。通常、章属性としては、ブック属性と共通するものについてはブック属性の値がコピーされ、そうでないものについては、あらかじめ用意された規定値に設定されるが、本例では、後述するように、下位層の属性値を優先するか否かが選択可能となっている。
【００４９】
画像データである場合には、原則として新たな章は追加されず、指定されている章に、ステップＳ８０１で生成された電子原稿ファイルに含まれる各原稿ページが追加される（ステップＳ８０４）。ただし、ブックファイルが新規作成されたファイルであれば、新たな章が作成されて、その章に属するページとして電子原稿ファイルの各ページが追加される。通常、ページ属性は、上位層の属性と共通のものについてはその属性値が与えられ、アプリケーションデータにおいて定義された属性を電子原稿ファイルに引き継いでいるものについてはその値が与えられるる。例えば、Ｎ−ｕｐ指定などがアプリケーションデータにおいてされていた場合には、その属性値が引き継がれる。このようにして、新規なブックファイルが作成され、あるいは、新規な章が追加される。しかし、本例では、後述するように、下位層の属性値を優先するか否かが選択可能となっている。
【００５０】
図１１は、図１０のステップＳ８０１において、電子原稿ライタ１０２により電子原稿ファイルを生成させる手順を示すフローチャートである。
【００５１】
まず、新たな電子原稿ファイルを作成してそれを開く（ステップＳ９０１）。指定したアプリケーションデータに対応するアプリケーションを起動し、電子原稿ライタ１０２をデバイスドライバとして、ＯＳの出力モジュールに対して出力コマンドを送信させる。出力モジュールは、受信した出力コマンドを電子原稿ライタによって電子原稿形式のデータに変換し、出力する（ステップＳ９０２）。出力先はステップＳ９０１で開いた電子原稿ファイルである。指定されたデータすべてについて変換が終了したか判定し（ステップＳ９０３）、終了していれば電子原稿ファイルを閉じる（ステップＳ９０４）。電子原稿ライタ１０２によって生成される電子原稿ファイルは、図３に示した、原稿ページデータの実体を含むファイルである。
【００５２】
（ブックファイルの編集例）
以上のようにして、アプリケーションデータからブックファイルを作成することができる。生成されたブックファイルについては、章及びページに対して次のような編集操作が可能である。
（１）新規追加
（２）削除
（３）コピー
（４）切り取り
（５）貼り付け
（６）移動
（７）章名称変更
（８）ページ番号名称振り直し
（９）表紙挿入
（１０）合紙挿入
（１１）インデックス紙挿入
（１２）各原稿ページに対するページレイアウト。
【００５３】
このほか、一旦行った編集操作を取り消す操作や、さらに取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などといった編集操作が可能となる。これらの操作を行うと、図４乃至図６に示す属性に操作結果が反映されたり、あるいはブックファイルの構造に反映される。たとえば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００５４】
本例における、編集時の表示及び操作例については、以下で詳細に示す。
【００５５】
（ブックファイルの出力例）
以上のように作成・編集されるブックファイルは印刷出力を最終目的としている。利用者が図９に示す製本アプリケーションのＵＩ画面９００からファイルメニューを選択し、そこから印刷を選択すると、指定した出力デバイスにより印刷出力される。この際、まず製本アプリケーション１０４は、現在開かれているブックファイルからジョブチケットを作成して電子原稿デスプーラ１０５に渡す。電子原稿デスプーラ１０５は、ジョブチケットをＯＳの出力コマンド、例えばウインドウズのＧＤＩコマンドに変換し、それを出力モジュール、例えばＧＤＩに送信する。出力モジュールは、指定されたプリンタドライバ１０６によってデバイスに適したコマンドを生成し、そのデバイスに送信する。
【００５６】
すなわち、図示しない出力モジュールのグラフィックエンジンは、印刷装置ごとに用意されたプリンタドライバ１０６を外部メモリ２１１からＲＡＭ２０２にロードし、出力をプリンタドライバ１０６に設定する。そして、出力モジュールは、受け取ったＧＤＩ（Graphic Device Interface）関数からＤＤＩ（Device Driver Interface）関数に変換して、プリンタドライバ１０６へＤＤＩ関数を出力する。プリンタドライバ１０６は、出力モジュールから受け取ったＤＤＩ関数に基づいて、プリンタが認識可能な制御コマンド、例えばＰＤＬ（Page Description Language）に変換する。変換されたプリンタ制御コマンドは、ＯＳによってＲＡＭ２０２にロードされたシステムスプーラを経てインタフェース２１経由でプリンタ１０７へ印刷データとして出力される仕組みとなっている。
【００５７】
ここで、上記ジョブチケットは、原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子や、プリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００５８】
ジョブチケットのデータ構造の例を図１２に示す。印刷用のデータでは、文書は用紙の集合で構成されており、各用紙は表、裏の２面で構成されており、各面は原稿をレイアウトする領域（物理ページ）を持ち、各物理ページには、最小単位である原稿ページの集合から構成される。１１０１は文書に相当するデータで、文書全体に関係するデータと、文書を構成する用紙情報のリストから構成される。用紙情報１１０２は用紙サイズなど用紙に関する情報と用紙上に配置される面情報のリストから構成される。面情報１１０３は、面に固有のデータと、面上に配置される物理ページのリストから構成される。物理ページ情報１１０４は、物理ページのサイズやヘッダ・フッタなどの情報と、物理ページを構成する原稿ページのリストから構成される。
【００５９】
電子原稿デスプーラ１０５は、上述のジョブチケットを、出力モジュールへの出力コマンドに変換する。
【００６０】
（プレビュー表示の内容例）
すでに説明したとおり、ブックファイルが製本アプリケーションによって開かれると、図９に示すユーザインタフェース画面９００が表示される。ツリー部９０１には、開いているブック（以下、「注目ブック」と呼ぶ。）の構造を示すツリーが表示される。プレビュー部には、利用者の指定に応じて、３通りの表示方法が用意されている。第１は原稿ページをそのまま表示する原稿ビューと呼ばれるモードである。原稿ビューモードでは、注目ブックに属する原稿ページの内容が縮小されて表示される。プレビュー部の表示にレイアウトは反映されない。第２は印刷ビューモードである。印刷ビューモードでは、プレビュー部９０２には、原稿ページのレイアウトが反映された形で原稿ページが表示される。第３は簡易印刷ビューモードである。簡易印刷ビューモードでは、各原稿ページの内容はプレビュー部の表示には反映されず、レイアウトのみが反映される。
【００６１】
＜他の文書処理システムの構成例＞
上記実施形態の文書処理システムはスタンドアロン型のシステムであるが、これを拡張したサーバクライアントシステムでもほぼ同様の構成・手順でブックファイルが作成・編集される。ただし、ブックファイルや印刷処理はサーバによって管理される。
【００６２】
図１３はサーバクライアント型文書処理システムの構成を示すブロック図である。
【００６３】
クライアント文書処理システムは、スタンドアロン型システムに、クライアントモジュールであるＤＯＭＳ（Document Output Management Service：文書出力管理サービス）ドライバ１０９及びＤＯＭＳプリントサービスモジュール１１０、ＤＳ（文書サービス）クライアントモジュール１０８を加えた構成を有する。このクライアント文書処理システム１２００に、文書管理サーバ１２０１及び印刷集中管理サーバ１２０２及びプリントサーバ１２０３が接続されている。これらサーバは、通常ネットワークによってクライアント文書処理システムと接続されるが、サーバが同時にクライアントとしても機能する場合には、ネットワーク間の通信をシミュレートするプロセス間通信によって接続される。尚、図１３では文書管理サーバ１２０１と印刷集中管理サーバ１２０２の両サーバがクライアントに接続されているが、いずれか一方のみがネットワーク上に存在する場合もあり得る。接続されているサーバが文書管理サーバであれば、そのクライアントモジュールを含む文書管理サーバクライアントシステム１２０１ＳＣが、印刷集中管理サーバ１２０２であれば、そのクライアントモジュールを含む印刷管理サーバクライアントシステム１２０２ＳＣが、スタンドアロン型文書管理システムに追加される。
【００６４】
文書管理サーバ１２０１は、製本アプリケーション１０４により作成・編集されたブックファイルを格納するサーバである。文書管理サーバ１２０１によってブックファイルを管理する場合、ブックファイルは、クライアントＰＣのローカルＨＤに代わって、あるいはそれに加えて、文書管理サーバ１２０１のデータベ
ース１２１１に保存される。製本アプリケーション１０４と文書管理サーバ１２０１との間のブックファイルの保存及び読み出しは、ＤＳクライアント１０８及びＤＳコア１２１２を介して行われる。
【００６５】
印刷集中管理サーバ１２０２は、クライアント文書管理システム１２００に格納された、あるいは文書管理サーバ１２０１に格納されたブックファイルの印刷を管理するサーバである。クライアントにおける印刷要求は、ＤＯＭＳドライバ１０９及びＤＯＭＳプリントサービスモジュール１１０を介して印刷集中管理サーバ１２０２のＤＯＭＳＷＧサーバモジュール１２２１に送信される。集中印刷管理サーバ１２０２は、クライアントのプリンタで印刷する場合にはクライアントのＤＯＭＳプリントサービスモジュール１１０を介して電子原稿デスプーラ１０５に電子原稿データを渡し、プリントサーバ１２０３により印刷する場合には、プリントサーバ１２０３のＤＯＭＳプリントサービスモジュール１２０３に送信する。集中印刷管理サーバは、例えば保存されているブックファイルに対して印刷要求を発行した利用者の資格などについてセキュリティチェックを行ったり、印刷処理のログを保存したりする。このように、文書処理システムは、スタンドアロンとしても、クライアントサーバシステムとしても実現できる。
【００６６】
［本実施形態の文書処理システムの編集操作例］
上記図９は、製本アプリケーション１０４の操作画面である。製本アプリケーションは、文書のページ順の入れ替えや複製、削除などの編集に加え、ステイプルなどの印刷装置の機能設定も行うことができ、指定した印刷装置に印刷することが可能である。図９の左側の領域には、文書の構造を示すツリービューが表示されている。文書は、章の集合で構成されており、各章は原稿ページの集合で構成されている。図９の右側の領域には、各ページの印刷プレビューが表示されている。
【００６７】
＜本実施形態の文書処理システムの属性設定例＞
図１４は、製本アプリケーション１０４の「文書の詳細設定」ウインドウ１４００を示している。
【００６８】
このウインドウでは、「文書設定情報４０３」を表示／設定することができる。このウインドウは、図９のアプリケーション操作画面にあるPrint Formメニューの「Detailed Setting for Document」メニューあるいはツールバー上の「Detailed Setting for Document」ボタンから起動される。「文書の詳細設定」ウインドウは、文書全体に影響する属性の設定を行うためのウインドウである。このウインドウは、Page Setup、Decoration、Edit、Paper Sourceの４つのシートから構成されており、図１４は、Page Setupシートを表示した状態を示している。このPage Setupシートでは、主にレイアウトに関する設定を行うことができ、用紙サイズや向き、Ｎページ印刷などの設定を指示することができる。このウインドウには、ズームに関するチェックボックスコントロール１４０１、１４０２が配置されている。
【００６９】
図１５は、製本アプリケーション１０４の「章の詳細設定」ウインドウ１５００を示している。
【００７０】
このウインドウでは、「章設定情報４０７」を表示／設定することができる。このウインドウは、図９のアプリケーション操作画面にあるPrint Formメニューの「Detailed Setting for Chapter」メニューあるいはツールバー上の「Detailed Setting for Chapter」ボタンから起動される。「章の詳細設定」ウインドウは、章固有の属性の設定を行うためのウインドウである。このウインドウは、Page Setup、Decoration、Edit、Paper Sourceの４つのシートから構成されており、図１５は、Page Setupシートを表示した状態を示している。このPage Setupシートでは、主に各章で固有のレイアウトに関する設定を行うことができ、用紙サイズや向き、Ｎページ印刷などの設定を指示することができる。「文書の詳細設定」と「章の詳細設定」で重複する設定項目については「Follow Book Attribute」のチェックボックスコントロール１５０１、１５０２、１５０３を配置している。このチェックボックスにチェックが入っている項目グループについては、文書の設定値をその章にも適用する。このチェックをはずした場合については、次の図１６に示す。章固有の設定としては２種類に分類できる。一つは章でしか持たない設定項目である。もう一つは、上位階層の文書とは異なる独自の設定値を章の階層で保持している場合である。
【００７１】
図１６は、図１５の「章の詳細設定」でチェックボックスコントロール１５０１、１５０２のチェックをはずした状態である。この場合、文書の全体がＡ４用紙を使っている場合でも、この章を構成するページはＡ４用紙サイズとする。またレイアウトも、文書では１Page Par Sheetであっても、この章は4 Page Per Sheetでレイアウトするという指定である。「MS Arrange」については、チェックがついているので、上位階層である文書の設定値をこの章の設定値として使う。
【００７２】
図１７は、製本アプリケーション１０４の「ページの詳細設定」ウインドウ１７００を示している。
【００７３】
このウインドウでは、「ページ設定情報４１１」を表示／設定することができる。このウインドウは、図９のアプリケーション操作画面にあるPrint Formメニューの「Detailed Setting for Page」メニューあるいはツールバー上の「Detailed Setting for Page」ボタンから起動される。「ページの詳細設定」ウインドウは、各ページで固有の属性の設定を行うためのウインドウである。このウインドウは、Page Setup、Editの２つのシートから構成されており、図１７は、Page Setupシートを表示した状態を示している。このPage Setupシートでは、主に各ページで固有のレイアウトに関する設定を行うことができ、原稿ページを配置する際の回転角や拡縮率などの設定を指示することができる。「章の詳細設定」と「ページの詳細設定」で重複する設定項目については「Follow Chapter Attribute」のチェックボックスコントロール１７０１を配置している。このチェックボックスにチェックが入っている項目については、章の設定値をそのページにも適用する。このチェックをはずした場合については、次の図１８に示す。
【００７４】
図１８は、図１７の「ページの詳細設定」でPage Loatationの設定を変更した状態を示している。コントロール１７０１で、原稿ページをレイアウトする際にページの上が左になるように回転して配置する設定にしている。この項目については「Follow Chapter Attribute」のチェックボックスが無いので、章や文書に重複する設定項目が無いので、このウインドウに表示されている設定が常にページの設定値となる。１７０１のチェックがある場合、例えば「Arrange」の項目は、章にも重複する設定項目があるので章の設定値をページの設定値とする。章で該当する「Arrange」の項目が「Follor Book Attribute」のチェックがある場合、章の設定値は上位階層である文書の設置値を使うので結局ページの設定値は文書の設定値を使うことになる。章で該当する項目のチェックが外れている場合、章固有の設定値を持っているので、ページの設定値はその章固有の設定値を使う。
【００７５】
尚、上記設定画面で設定されたチェックボックスコントロールの情報は、専用の領域に保持されてもよいが、図３に示した設定情報内に属性の１つとして保持するのが望ましい。この場合には、図５及び図６にチェックボックスコントロールの情報を保持する領域が追加される。
【００７６】
＜本実施形態の文書処理システムの文書編集の表示例＞
上位階層と重複する設定項目を上位階層の設定値を使わないようにした場合、つまり、チェックボックスコントロール１５０１や１７０１のチェックをはずした場合のアプリケーションの表示形式を、図１９に示す。
【００７７】
図１９の例では、文書は二つの章からなり、各章は９ページの原稿データを持っている。最初の章のレイアウトを４ＵＰ（４ｉｎ１とも表記する）に、２番目の章の先頭ページ（文書全体では１０ページ目）に回転を指定した場合の表示例である。右側のプレビューにおいて、１〜３ページ目には１ページ上に４つの原稿がそれぞれ配置されている様子が表示されている。そして、第４ページ目のデータである「Ａ」の文字が回転している様子が表示されている。ツリービューでの章やページ固有の設定を行った場合の表示形式を説明する。最初の章に対するアイコン１９０１が変化して、この章に章独自の設定がなされていることを示している。２番目の章の先頭ページに対するアイコン１９０２が変化して、このページに特別な設定がなされていることが示されている。
【００７８】
図２０及び図２１は、本システムにおいてファイル全体の挿入、一部のコピーペーストを行う場合の動作を説明する図である。
【００７９】
図２０Ａは文書Ａ、図２０Ｂは文書Ｂを示している。文書Ａに対して、文書Ｂから章Ｃ２００１をコピーペーストする場合を考える。文書Ａは２ページ印刷、文書Bは４ページ印刷とする。
【００８０】
図２０Ａ乃至図２０Ｄは、章Cに章固有の設定がなされていない場合の例である。章Ｃをペーストした結果には２通りの考え方が可能である。
１．章Ｃは所属する文書の設定に従う。この場合、章Ｃ２００２に示される通りペースト先である文書Ａの設定である２ページ印刷の設定でレイアウトされる（図２０Ｃ）。
２．章Ｃはもともとあった文書Ｂの設定である４ページのレイアウトを保存する。この場合、章Ｃは２００３に示される通りに章固有の設定として４ページ印刷の設定値を保持し、文書の設定とは無関係に４ページ印刷でレイアウトされる（図２０Ｄ）。
【００８１】
図２１Ａ乃至図２１Ｅは、章Ｃに章固有の設定がなされてる場合の例である。図２１Ｂにあるように、章Ｃ２１０１が１ページ印刷の設定がなされているとする。この場合、文書Ａにペーストした場合の結果として３通り考えられる。
１．章Ｃ２１０２は、やはり文書Ａの設定を受け継ぎ２ページ印刷の設定となる（図２１Ｃ）。
２．章Ｃ２１０３は、章固有の設定値を保持し、文書Ａ中においても１ページ印刷の設定を保持しつづける（図２１Ｄ）。
３．章Ｃ２１０４は、もともとの文書Ｂの設定を受け継ぎ４ページ印刷の設定を保持する。この場合、文書Ａは２ページ印刷だが章Ｃの部分は１ページ印刷となる（図２１Ｅ）。
【００８２】
ただし、３番目は見た目に出てこない文書Ｂの設定を保持するのはわかりにくいので通常使われることは考えにくい。
【００８３】
＜本実施形態の文書処理システムの文書編集の動作手順例＞
次に、ファイル全体の挿入、一部分のコピーペーストを行う場合の処理フローについて説明する。
【００８４】
（コピー手順）
図２２は、コピーペーストのコピー時の処理概要を説明したフローチャートである。コピーペーストする場合、コピー時にどの形式でコピーするかを決めてしまう方式と、コピー時はできるだけ多くの情報をコピーし、ペースト時にいろいろな形式を選択できるようにする方法とがある。この例は後者の方で、ペースト時のペースト形式の選択肢を増やすために、ペースト処理に不要のデータ以外はできるだけコピーしている。図３の文書データ構造の階層構造を保ってほぼそのままの形でコピーすることでペースト時の選択を可能としている。
【００８５】
まず、ステップＳ１４０１で、挿入元となる文書の文書情報４０１をコピーする。ファイル名など不要な部分はコピーしないほうが効率がよい。次に、ステップＳ１４０２へ進み必要な章を４０４の章リストへ追加する。文書ファイルの追加の場合は、全ての章が追加対象である。コピーペーストやマウスの操作によるDrag＆Dropの場合は、選択されている部分の章が追加対象となる。章が選択されている場合は選択されている章全て、章ではなくページが選択されている場合は選択されているページを含む章が追加対象である。次に、ステップＳ１４０３へ進み、ステップＳ１４０２で追加した章の章情報を挿入元の文書の対応する章からコピーする。この場合も不要な情報をコピーしないことで効率化を図ることが可能である。次に、ステップＳ１４０４へ進み、各章を構成するページを１４０２でコピーした章情報のページリスト部へ追加する。ここでも追加するページは必要なページだけでよい。次に、ステップＳ１４０５へ進み、各ページに対応するページ情報を挿入元文書からコピーする。
【００８６】
（ペースト手順）
図２３は、文書全体をペースト（文書の挿入）する場合の処理のフローチャートである。
【００８７】
まず、ステップＳ１５０１で最上位である文書の設定を下位の構成要素である章の設定へと移すかどうかを判定する。図２１Ｅの形式でペーストする場合、元文書の設定を章の設定へコピーすることになる。ここで章の設定へ移さないと判定された場合は、上位階層の設定を下位階層に移す必要が無いので、ステップＳ１５１０へ進みコピーされているデータをそのままペーストする。ステップＳ１５０１で章設定に移す場合、ステップＳ１５０２へと進む。ステップＳ１５０２はループの終了条件を判定しており、コピーされている全ての章に対して処理が終了したかどうかを判定する。全ての章に対して処理が終了している場合はステップＳ１５１０へ進み処理済のデータをペーストする。ステップＳ１５０２で全ての章に対して処理が終了していないと判定された場合、ステップＳ１５０３へ進む。
【００８８】
ステップＳ１５０３では、処理が残っている章を次の処理対象とする。図２２では章をリストでコピーしているので、リストの先頭から順に処理対象とすればよい。次に、ステップＳ１５０４へ進み、処理対象の章について全ての設定項目について処理が終了したか判定する。全ての項目の処理が終わった場合、ステップＳ１５０２へ戻り処理対象を次の章とする。ステップＳ１５０４で未処理の項目が残っていると判定された場合、ステップＳ１５０５へ進み、未処理の設定項目を処理対象とする。さらにステップＳ１５０６へ進み、ステップＳ１５０５で処理対象とした設定項目について、章固有の設定値を保存するか、元文書の上位階層に合わせるか、挿入先文書の設定に合わせるの３方式のいずれとするかを判断する。
【００８９】
ステップＳ１５０６で章固有の設定値を保存すると判定された場合、あるいは、現在の設定項目が上位階層である文書に対応する設定項目が無い場合、ステップＳ１５０７へ進み、そのまま章固有の値を保持しつづける。ステップＳ１５０６で元文書の上位の設定に合わせると判断された場合、ステップＳ１５０８へ進みコピーした上位階層の対応する設定項目の設定値で章の設定値を上書きする。
ステップＳ１５０６で挿入先の設定値に合わせると判断された場合、ステップＳ１５０９へ進み、設定値を挿入先の上位階層のに合わせる設定値に変更する。ステップＳ１５０７、ステップＳ１５０８、ステップＳ１５０９のいずれかが終わると再びステップＳ１５０４へ戻り、次の設定項目を処理対象として処理を続行する。
【００９０】
図２４は、章をペーストする場合の処理のフローチャートである。
【００９１】
まず、ステップＳ１６０１でコピー元と挿入先の文書が同一文書であるかを判定する。ここで同一文書内でのコピーペーストであると判断された場合、上位階層の設定を下位階層に移す必要が無いので、ステップＳ１６１０へ進みコピーされているデータをそのままペーストする。ステップＳ１６０１で別文書への挿入と判断された場合、ステップＳ１６０２へと進む。ステップＳ１６０２はループの終了条件を判定しており、コピーされている全ての章に対して処理が終了したかどうかを判定する。全ての章に対して処理が終了している場合はステップＳ１６１０へ進み処理済のデータをペーストする。ステップＳ１６０２で全ての章に対して処理が終了していないと判定された場合、ステップＳ１６０３へ進む。
【００９２】
ステップＳ１６０３では、処理が残っている章を次の処理対象とする。図２２で説明した例では章をリストでコピーしているので、リストの先頭から順に処理対象とすればよい。次に、ステップＳ１６０４へ進み、処理対象の章について全ての設定項目について処理が終了したか判定する。全ての項目の処理が終わった場合、ステップＳ１６０２へ戻り処理対象を次の章とする。ステップＳ１６０４で未処理の項目が残っていると判定された場合、ステップＳ１６０５へ進み、未処理の設定項目を処理対象とする。さらに、ステップＳ１６０６へ進み、ステップＳ１６０５で処理対象とした設定項目について、章固有の設定値を保存するか、元文書の上位階層に合わせるか、挿入先文書の設定に合わせるの３方式のいずれとするかを判断する。
【００９３】
ステップＳ１６０６で章固有の設定値を保存すると判定された場合、あるいは、現在の設定項目が上位階層である文書に対応する設定項目が無い場合、ステップＳ１６０７へ進み、そのまま章固有の値を保持しつづける。ステップＳ１６０６で元文書の上位の設定に合わせると判断された場合、ステップＳ１６０８へ進みコピーした上位階層の対応する設定項目の設定値で章の設定値を上書きする。
ステップＳ１６０６で挿入先の設定値に合わせると判断された場合、ステップＳ１６０９へ進み、設定値を挿入先の上位階層のに合わせる設定値に変更する。ステップＳ１６０７、ステップＳ１６０８、ステップＳ１６０９のいずれかが終わると再びステップＳ１６０４へ戻り、次の設定項目を処理対象として処理を続行する。
【００９４】
図２５は、ページをペーストする場合の処理のフローチャートである。コピーしたのは章であっても、章としてではなく章に含まれる個別のページを挿入する場合もこの例で示す方法で処理可能である。
【００９５】
まず、ステップＳ１７０１でコピー元と挿入先の文書が同一文書であるかを判定する。ここで同一文書内でのコピーペーストであると判断された場合、上位階層の設定を下位階層に移す必要が無いので、ステップＳ１７１２へ進みコピーされているデータをそのままペーストする。ステップＳ１７０１で別文書への挿入と判断された場合、ステップＳ１７０２へと進む。ステップＳ１７０２はループの終了条件を判定しており、コピーされている全てのページに対して処理が終了したかどうかを判定する。全てのページに対して処理が終了している場合はステップＳ１７１０へ進み処理済のデータをペーストする。ステップＳ１７０２で全てのページに対して処理が終了していないと判定された場合、ステップＳ１７０３へ進む。
【００９６】
ステップＳ１７０３では、処理が残っているページを次の処理対象とする。図２２で説明した例では章とページをリストでコピーしているので、章リストの先頭から順に、章のページリストの先頭から処理対象とすればよい。次に、ステップＳ１７０４へ進むみ、処理対象のページについて全ての設定項目について処理が終了したか判定する。全ての項目の処理が終わった場合、ステップＳ１７０２へ戻り処理対象を次の章とする。ステップＳ１７０４で未処理の項目が残っていると判定された場合、ステップＳ１７０５へ進み、未処理の設定項目を処理対象とする。さらにステップＳ１７０６へ進み、ステップＳ１７０５で処理対象とした設定項目について、ページ固有の設定値を保存するかを判断する。
【００９７】
ステップＳ１７０６でページ固有の設定値を保存すると判定された場合、あるいは、現在の設定項目が上位階層である章や文書には対応する設定項目が無い場合、ステップＳ１７１０へ進み、そのままページ固有の値を保持しつづける。ステップＳ１７０６でページ固有の設定を保存しないと判断された場合、上位階層の設定に合わせるため、ステップＳ１７０７へ進む。
【００９８】
ここで、上位階層である章の対応設定項目を調べ、章に固有の設定値を持っているか、さらに上位階層に従う設定となっているかを調べる。ステップＳ１７０７で章固有の設定は無いと判断された場合ステップＳ１７０８へ進み章の設定値をページの設定値へコピーする。ステップＳ１７０７で章固有の設定値が無いと判断された場合、ステップＳ１７０９へ進み上位階層の設定として章の設定と文書の設定のどちらを優先するか判断する。ステップＳ１７０９で章設定を優先すると判断した場合、ステップＳ１７０８へ進む。ステップＳ１７０９で賞を優先しないと判断した場合、文書の対応する設定項目の設定値をページにコピーする。ステップＳ１７０８、ステップＳ１７１０、ステップＳ１７１１のいずれかが終わると再びステップＳ１７０４へ戻り、次の設定項目を処理対象として処理を続行する。
【００９９】
ここで示した例では、各設定項目毎にどの階層の設定値を優先して用いるか、コピー元／挿入先のどちらの設定を優先するかを判断し、設定項目ごとにきめ細かく優先設定を決めることが可能である。尚、図２３及び図２４の例では文書と章の２階層で判定していたが、図２５のページ設定の処理も組み合わせて、文書や章のペーストでもページの設定まで処理することも可能である。その場合、ステップＳ１５０１やＳ１６０１の直前に図２５のフローを入れればよい。
【０１００】
＜本実施形態の文書処理システムの文書編集の操作指示例＞
次に、ユーザの文書編集操作（特に、Drag&Drop）に対応した本実施形態の表示方法を説明する。
【０１０１】
図２６は、マウス操作によるコピーペーストいわゆるDrag&Dropの操作をする場合のマウスカーソルの形態変化の例である。
【０１０２】
左端図は、ページの外にマウスカーソルがある場合の例である。マウスカーソル２６０１は、通常状態のデフォルト形態である矢印型である。このままページを選択しようとして、ページの上にマウスカーソルを移動したところが左から２つ目の図である。マウスカーソル２６０２は手の形に変わり、ページが移動（Drag&Drop）の対象物であることを示している。ここでマウスをクリックし、選択したところが左から３つ目の図である。ページが選択対象であることを示してページが太枠で囲まれている。ここでマウスをクリックし、Dragを開始すると右端図に示すようにマウスカーソル２６０４はページをつかんでいることを示すように握った形となり、そのまま移動可能であることをユーザに示す。
【０１０３】
（プレビューエリアでの表示例）
図２７は、DragしたページのDrag&Drop位置を示す表示形式の例である。
【０１０４】
Drop位置が確認しやすいように、Drag対象のページは半透明となっている。また、Drop位置を示すために、バー２７０１が表示される。この図の状態でマウスボタンを離してDropすると、（１−１）と表示されたページと（１−２）と表示されたページの間に、Dragページ（１−３）が入りこみ、（１−１）、（１−３）、（１−２）の順序に並び替えがおきる。このDrag＆Drop操作の際に、コントロールキーやシフトキーなどほかの操作を併用することで、ページ移動ではなくページの複製処理を行うことも可能である。また、通常の左ボタンではなく右ボタンを使うことで、Drop時に移動・複製いずれの処理を行うかを選択させることも可能である。
【０１０５】
（ツリーエリアでの表示例）
図２８は、Tree表示部でのDrag&Dropの表示形式を説明した図である。
【０１０６】
Drag中の表示はTree部の小さな表示形式に合わせて、Drag対象のページ表示は消え、マウスカーソル２８０１は矢印とページアイコンとの組み合わせ表示となる。マウスを動かし、マウスカーソル２８０１を２８０３の位置に動かすと、Drop位置を示すバーは２８０２の位置から２８０４の位置へとマウスカーソルの位置に合わせて移動する。
【０１０７】
Treeの場合は、Treeの表示自体に階層の情報が入っているので表示がわかりやすいが、文書が文書−章−ページの階層構造を持つため、章と章の間にマウスカーソルを移動した場合にどちらの章にDropするのかという問題が発生する。本実施形態では、図２９のように、バーが２９０１の位置にある場合は、ページ（１−３）の次という意味で「ドキュメント１」の章の最終ページにDropされる。さらにマウスを下に移動すると「ドキュメント２」のアイコンとページ（２−１）のページの間２９０２の位置にバーが移動する。この位置にバーがきた場合「ドキュメント２」の章の先頭ページとしてDropされる。
【０１０８】
（プレビューエリアでの表示変形例）
一方、プレビューエリアの場合、表示形式に階層の考え方が無いので分かりにくい。章の境界に位置する場所にバーが移動した場合、先頭側の章の末尾あるいは、末尾側の章の先頭ページにDrop、あるいは、マウスカーソルの移動軌跡に依存して先頭側から移動してきたら先頭側の末尾へ末尾側から移動してきた場合には末尾側の章の先頭へという決め方もある。
【０１０９】
図２２は、章の境界部分だけ２回バーを表示する場合の例である。"１"と書かれたページと"２"とかかれたページが章の境界だとすると、"１"のページに近い位置では３００１の位置にバーが表示され、"２"のページに近い場合は３００２の位置にバーが表示される。バー３００１が表示されている時にDropした場合には前の章の末尾は、バー３００２が表示されている時にDropした場合は後の章の先頭へとDropされる。尚、２本のバー３００１及び３００２が表示されて、その太さや濃さ、あるいはカラー表示に場合は色でDropされる位置を表示してもよい。
【０１１０】
（Ｎページ印刷の場合のプレビューエリアでの表示例）
次にＮページ印刷の場合の表示方法について説明する。
【０１１１】
図３１は１ページ印刷の場合の例である。この例では、用紙を示す矩形３１０１が原稿のページと対応しているのでDrop位置を示すバーは用紙の矩形と矩形との間に表示する形式である。
【０１１２】
図３２は４ページ印刷の場合の例である。この場合、４ページ分のデータが描画された面で一つの物理ページとして扱われる。物理ページの間にDropさせる場合、図３２の左図のように物理ページを表現する矩形と矩形の間にバーを表示する。原稿のページの間にDropできる場合には、一つの物理ページの中に複数のDrop可能位置が存在する。図３２の右図は"１"と書かれた原稿ページと"２"とかかれた原稿ページとの間にDrop位置を示すバーを表示している。このように、Drag処理の対象物によって切り分けて表示している。
【０１１３】
物理ページを選択Dragしている場合、物理ページ単位で移動する処理と考え、図３２の左図の形式でDropさせる。この場合の内部処理は、物理ページ上の全ての論理ページを選択してDragしているのと同じ処理をしている。そのため、選択した物理ページとDrop位置とでＮページ印刷の設定が違う場合、Drop先のレイアウト指定に従ってレイアウトされるため、Drag開始時とは異なるレイアウトとなる。論理ページを選択Dragしている場合、論理ページ単位で移動すると考え図３２の右図の形式でDropさせる。ただし、内部データ的には複数論理ページのDrag&Drop処理と同じであるので、マウスの位置により図３２の左右の図の表示形式を切り替えて、任意の位置へのDropを許すことも可能である。
【０１１４】
尚、本実施形態ではバーで挿入位置を報知したが、バーに限定されずユーザの操作に有用であればどのような形状（矢印等のアイコン表示）であっても構わず、これらも本発明に含まれる。
【０１１５】
次に、Dragしている対象である章やページが、章あるいはページ固有の設定を持っている場合の例を図３３に示す。
【０１１６】
章やページに固有の設定がある場合の表示例を図９に示した。Drag中のデータに固有の設定を持つページや章が含まれてい無い場合、３３０１の形式の表示である。Drag中のデータに章やページ固有の設定値をもつものが含まれている場合、３３０２に示す形の表示形式となる。図９の９０１や９０２のように左上に小さなマークをつけることで固有設定の有無を表現する。Dropした後も、固有の設定を保持する場合、図９に示すように固有の設定を持った章あるいはページとなる。Drop時に固有設定のクリアをするような指定を行っている場合、Drop時に内部的に固有設定をクリアする。この場合の処理のフローチャトは、既に図２４及び図２５に示してある。
【０１１７】
＜本実施形態の文書処理システムの操作指示の手順例＞
図３４に、本実施形態の文書処理システムの操作指示の手順例をフローチャートで示す。尚、カーソルの位置検出や対象画像の表示位置とカーソル位置との距離検出などは既知であるので、詳細には説明しない。又、ブック、章、ページ間の設定（属性）の優先設定などの処理についても、煩雑となるので省略している。この場合は、図２４や図２５の処理と共に、図３３のような固有の設定があることを示す表示が付加される。
【０１１８】
まず、ステップＳ２００１でマウス操作からDrag中が否かを判定する。Drag中でなければ、ステップＳ２００２でDropか否かを判定する。Dropでもなければステップ２００４で本例では対象としない他の処理を行なって、リターンする。Dropと判定すると、ステップＳ２００３に進んでカーソル位置に従って表示されているバーによって示されたDrop位置に、データの移動あるいは複製が行われる。移動／複製の選択も煩雑になるので示していない。
【０１１９】
ステップＳ２００１でDragと判定されると、ステップＳ２００５で既知の方法でカーソル位置を検出する。次に、ステップＳ２００６でカーソル位置に最も近いツリー及びプレビューエリア内の原稿ページの境界を検出する。ステップＳ２００７では、ステップＳ２００６で検出されたカーソルに最も近い原稿ページの境界が、ツリーエリア内にあるかプレビューエリア内にあるかを判断する。ツリーエリア内にある場合は、ステップＳ２００８で原稿ページの境界位置にDrop位置を示すバーを表示する。表示方法も既知であるので詳説はしない。
【０１２０】
プレビューエリアの場合は、まずステップＳ２００９で検出されたカーソルに最も近い原稿ページの境界が同時に章の境界であるかが判定される。章の境界であればステップＳ２０１０で図３０に示すような複数回のバー表示をするように設定する。図３４には詳細な説明はしないが、複数回のバー表示が設定された場合には、原稿ページの境界位置に複数の境界が設定されて、更にカーソルとの距離が検出され、より近い位置にバーが表示される。あるいは複数のバーが、太さ、濃さ、色などにより、識別可能（より近いバーが目立つように）に表示される。章の境界でなければ何もせずにステップＳ２０１１に進む。
【０１２１】
ステップＳ２０１１ではＮページ印刷か否かが判定され、Ｎページ印刷のばあいは更にステップＳ２０１２で原稿ページの境界が印刷ページの境界か否かが判定される。Ｎページ印刷で印刷ページの境界でない場合は、ステップＳ２０１３で図３２の右図のように、印刷ページ内の原稿ページの境界部分にバーを表示する。一方、Ｎページ印刷でない、又はＮページ印刷であっても印刷ページの境界で有る場合は、図３０、図３１、図３２の左図のように、印刷ページ外（間）にバーを表示する。
【０１２２】
尚、本実施形態で示したフローチャートにおいて、その前後は処理が未完成にならない限り入れ替えることが可能である。
【０１２３】
また、本発明は、複数の機器(例えばホストコンピュータ、インタフェース機器、リーダ、プリンタなど）から構成されるシステムに適用しても、一つの機器からなる装置（複写機、プリンタ、ファクシミリ装置など）に適用してもよい。
【０１２４】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【０１２５】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１２６】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【０１２７】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図１】
0005882850.tif 000002
【図２】
0005882850.tif 000003
【図３】
0005882850.tif 000004
【図４】
0005882850.tif 000005
【図５】
0005882850.tif 000006
【図６】
0005882850.tif 000007
【図７】
0005882850.tif 000008
【図８】
0005882850.tif 000009
【図９】
0005882850.tif 000010
【図１０】
0005882850.tif 000011
【図１１】
0005882850.tif 000012
【図１２】
0005882850.tif 000013
【図１３】
0005882850.tif 000014
【図１４】
0005882850.tif 000015
【図１５】
0005882850.tif 000016
【図１６】
0005882850.tif 000017
【図１７】
0005882850.tif 000018
【図１８】
0005882850.tif 000019
【図１９】
0005882850.tif 000020
【図２０Ａ】
0005882850.tif 000021
【図２０Ｂ】
0005882850.tif 000022
【図２０Ｃ】
0005882850.tif 000023
【図２０Ｄ】
0005882850.tif 000024
【図２１Ａ】
0005882850.tif 000025
【図２１Ｂ】
0005882850.tif 000026
【図２１Ｃ】
0005882850.tif 000027
【図２１Ｄ】
0005882850.tif 000028
【図２１Ｅ】
0005882850.tif 000029
【図２２】
0005882850.tif 000030
【図２３】
0005882850.tif 000031
【図２４】
0005882850.tif 000032
【図２５】
0005882850.tif 000033
【図２６】
0005882850.tif 000034
【図２７】
0005882850.tif 000035
【図２８】
0005882850.tif 000036
【図２９】
0005882850.tif 000037
【図３０】
0005882850.tif 000038
【図３１】
0005882850.tif 000039
【図３２】
0005882850.tif 000040
【図３３】
0005882850.tif 000041
【図３４】
0005882850.tif 000042